(57)【特許請求の範囲】
【請求項１】
リサイクルドライヤと、バージンドライヤと、リサイクルドライヤの排ガス中の臭気成分を燃焼させる脱臭炉とを備え、該脱臭炉の排気ダクトを分岐してその分岐ダクトをバージンドライヤに連結して脱臭炉の高温排ガスの一部をバージンドライヤに供給する構成としたアスファルト混合物製造設備において、バージンドライヤ内の静圧を検出する静圧センサと、バージンドライヤの排気ダクト下流に配設した風量調整用のメイン開閉ダンパと、前記静圧センサの検出値が所定値を維持するように前記メイン開閉ダンパの開度を調整してバージンドライヤの排ガスを略過不足なしに排気制御する静圧／ダンパ開度制御器と、脱臭炉下流の分岐ダクトを通過してバージンドライヤに流れる高温排ガスの風量調整用の開閉ダンパと、該開閉ダンパの開度を前記メイン開閉ダンパの開度信号に基づいて制御するダンパ開度制御器とを備えたことを特徴とするアスファルト合材製造設備。
【請求項２】
リサイクルドライヤと、バージンドライヤと、リサイクルドライヤの排ガス中の臭気成分を燃焼させる脱臭炉とを備え、該脱臭炉の排気ダクトを分岐してその分岐ダクトをバージンドライヤに連結して脱臭炉の高温排ガスの一部をバージンドライヤに供給する構成としたアスファルト混合物製造設備において、バージンドライヤ内の静圧を検出する静圧センサと、バージンドライヤの排気ダクト下流に配設した回転数調整手段を有する排気ファンと、前記静圧センサの検出値が所定値を維持するように前記排気ファンの回転数を調整してバージンドライヤの排ガスを略過不足なしに排気制御する静圧／回転数制御器と、脱臭炉下流の分岐ダクトを通過してバージンドライヤに流れる高温排ガスの風量調整用の開閉ダンパと、該開閉ダンパの開度を前記排気ファンの回転数信号に基づいて制御するダンパ開度制御器とを備えたことを特徴とするアスファルト合材製造設備。
【発明の詳細な説明】
【技術分野】
【０００１】
本発明は、リサイクルドライヤ、バージンドライヤ、及びリサイクルドライヤの排ガス中の臭気成分を燃焼させる脱臭炉を備え、脱臭炉の高温排ガスをバージンドライヤに供給して高温排ガスの熱回収を行うアスファルト合材製造設備に関する。
【背景技術】
【０００２】
アスファルト合材製造工場には、アスファルト舗装廃材（以下「廃材」という）を加熱するリサイクルドライヤと、バージン材、即ち新規骨材を加熱するバージンドライヤとが設置されている。前記リサイクルドライヤにて廃材を加熱するときには加熱条件により悪臭の排ガスが発生することがあり、この悪臭処理のために脱臭炉を設置し、排ガス中の悪臭成分を８００℃前後で燃焼して脱臭することが行われる。このとき、脱臭炉から排出される排ガスは高温であって大気中に放出すると経済的損失となるために、排ガスの全量もしくは適当量をバージンドライヤに供給し、バージン材の加熱に利用することで排ガスの保有熱の回収を図ることが提案されている（特許文献１）。
【特許文献１】特開平８−１００４０８号公報
【発明の開示】
【発明が解決しようとする課題】
【０００３】
ところで、脱臭炉から排出する高温排ガスの全量をバージンドライヤに供給すると、バージンドライヤの運転状況によっては排気ファンの排ガス処理能力をオーバーしてバージンドライヤの隙間から吹き出しが生じる可能性もあり得る。また、脱臭炉からバージンドライヤに供給する高温排ガス量を風量調整用開閉ダンパの開度調整で適宜決定すると、バージンドライヤから吹き出しのない程度に供給可能とできるが、このようにバージンドライヤに供給する高温排ガス量を一定量で固定してしまうと最適量の高温排ガスがバージンドライヤに供給されないこととなり、熱回収率を最大とすることができない。
【０００４】
本発明は上記の点に鑑み、バージンドライヤの運転に支障がないように図りながら脱臭炉の高温排ガスをバージンドライヤに適量自動供給可能とし、脱臭炉排ガスの保有熱を極力多く回収して省エネを図るようにしたアスファルト合材製造設備を提供することを課題とする。
【課題を解決するための手段】
【０００５】
上記の課題を解決するために、請求項１記載のアスファルト合材製造設備は、リサイクルドライヤと、バージンドライヤと、リサイクルドライヤの排ガス中の臭気成分を燃焼させる脱臭炉とを備え、該脱臭炉の排気ダクトを分岐してその分岐ダクトをバージンドライヤに連結して脱臭炉の高温排ガスの一部をバージンドライヤに供給する構成としたアスファルト混合物製造設備において、バージンドライヤ内の静圧を検出する静圧センサと、バージンドライヤの排気ダクト下流に配設した風量調整用のメイン開閉ダンパと、前記静圧センサの検出値が所定値を維持するように前記メイン開閉ダンパの開度を調整してバージンドライヤの排ガスを略過不足なしに排気制御する静圧／ダンパ開度制御器と、脱臭炉下流の分岐ダクトを通過してバージンドライヤに流れる高温排ガスの風量調整用の開閉ダンパと、該開閉ダンパの開度を前記メイン開閉ダンパの開度信号に基づいて制御するダンパ開度制御器とを備えたことを特徴としている。
【０００６】
また、請求項２記載のアスファルト合材製造設備は、リサイクルドライヤと、バージンドライヤと、リサイクルドライヤの排ガス中の臭気成分を燃焼させる脱臭炉とを備え、該脱臭炉の排気ダクトを分岐してその分岐ダクトをバージンドライヤに連結して脱臭炉の高温排ガスの一部をバージンドライヤに供給する構成としたアスファルト混合物製造設備において、バージンドライヤ内の静圧を検出する静圧センサと、バージンドライヤの排気ダクト下流に配設した回転数調整手段を有する排気ファンと、前記静圧センサの検出値が所定値を維持するように前記排気ファンの回転数を調整してバージンドライヤの排ガスを略過不足なしに排気制御する静圧／回転数制御器と、脱臭炉下流の分岐ダクトを通過してバージンドライヤに流れる高温排ガスの風量調整用の開閉ダンパと、該開閉ダンパの開度を前記排気ファンの回転数信号に基づいて制御するダンパ開度制御器とを備えたことを特徴としている。
【発明の効果】
【０００７】
以上のように本発明に係る請求項１記載のアスファルト合材製造設備によれば、バージンドライヤ内の静圧を静圧センサにて検出してその検出値が所定値を維持するようにメイン開閉ダンパの開度を調整してバージンドライヤの排ガスを略過不足なしに排気制御する静圧／ダンパ開度制御器と、前記メイン開閉ダンパの開度信号に基づいて脱臭炉からバージンドライヤに流れる高温排ガス量調整用の開閉ダンパの開度を制御するダンパ開度制御器とを備えたので、バージンドライヤの運転状況に応じて略過不足なしに排ガスを吸引排気させながら、バージンドライヤのメイン開閉ダンパの開度具合、即ちバージンドライヤの排ガス処理量の余裕度合を見ながら最適量の脱臭炉排ガスをバージンドライヤに自動供給可能であり、バージンドライヤの運転に支障を生じさせることなく脱臭炉排ガスの保有熱を極力多く回収できて効率良く省エネが図れる。
【０００８】
また、請求項２記載のアスファルト合材製造設備によれば、バージンドライヤ内の静圧を静圧センサにて検出してその検出値が所定値を維持するように排気ファンの回転数を調整してバージンドライヤの排ガスを略過不足なしに排気制御する静圧／回転数制御器と、前記排気ファンの回転数信号に基づいて脱臭炉からバージンドライヤに流れる高温排ガス量調整用の開閉ダンパの開度を制御するダンパ開度制御器とを備えたので、バージンドライヤの運転状況に応じて略過不足なしに排ガスを吸引排気させながら、排気ファンの回転数、即ちバージンドライヤの排ガス処理量の余裕度合を見ながら最適量の脱臭炉排ガスをバージンドライヤに自動供給可能であり、バージンドライヤの運転に支障を生じさせることなく脱臭炉排ガスの保有熱を極力多く回収できて効率良く省エネが図れる。
【発明を実施するための最良の形態】
【０００９】
本発明のアスファルト合材製造設備にあっては、リサイクルドライヤと、バージンドライヤと、リサイクルドライヤの排ガス中の臭気成分を燃焼させる脱臭炉とを備え、該脱臭炉の排気ダクトを分岐してその分岐ダクトをバージンドライヤに連結して脱臭炉の高温排ガスの一部をバージンドライヤに供給する構成とする。また、バージンドライヤ内の静圧を検出する静圧センサと、バージンドライヤの排気ダクト下流に風量調整用のメイン開閉ダンパとを備えると共に、前記静圧センサの検出値が所定値を維持するように前記メイン開閉ダンパの開度を調整してバージンドライヤの排ガスを略過不足なしに排気制御する静圧／ダンパ開度制御器を備える。更に、脱臭炉下流の分岐ダクトを通過してバージンドライヤに流れる高温排ガスの風量を調整する開閉ダンパを備えると共に、該開閉ダンパの開度を前記メイン開閉ダンパの開度信号に基づいて開閉制御するダンパ開度制御器を備える。
【００１０】
そして、バージンドライヤでは、静圧／ダンパ開度制御器によってバージンドライヤのバーナ側の静圧（内圧）が常に−３０〜−５０Ｐａ程度で少しエアーを吸い込み気味になるようにしながらメイン開閉ダンパの開度を制御し、運転状況が変化しても略過不足なしに排ガスを吸引排気させることで、ドライヤの隙間から吹き出しのないようにすると共に、極力余分なエアーを吸い込まないように運転する。
【００１１】
次に、リサイクルドライヤを運転すると、リサイクルドライヤにて発生する臭気成分を含む排ガスは脱臭炉へと導かれ、排ガス中の臭気成分が８００℃前後で燃焼されて脱臭される。脱臭炉から排出される高温の排ガスの一部は分岐ダクトを介してバージンドライヤに供給されるが、バージンドライヤに供給される脱臭炉排ガス量の調整は、分岐ダクトに配設した風量調整用の開閉ダンパの開度調整によって行われると共に、この風量調整用の開閉ダンパはバージンドライヤ下流のメイン開閉ダンパの開度信号に基づいて制御される。
【００１２】
前記分岐ダクトに配設した風量調整用の開閉ダンパの開度調整は、例えば、運転開始から開閉ダンパの開度を３０％（５分）→５０％（５分）→８０％（５分）と順次開いていく。このとき、バージンドライヤのメイン開閉ダンパの開度を一定のタイミング毎に逐次検出し、その開度が８０％を超えると、バージンドライヤの排ガス処理能力をオーバーすることのないように開閉ダンパを５％閉める。また、メイン開閉ダンパの開度が５０％以下になると、バージンドライヤの排ガス処理能力に余裕があるために開閉ダンパを５％開ける。運転中、この制御を繰り返す。
【００１３】
このように、バージンドライヤのメイン開閉ダンパの開度具合、即ちバージンドライヤの排ガス処理量の余裕度合を見ながら適量の脱臭炉排ガスをバージンドライヤに供給するようにすると、バージンドライヤの運転に支障を生じさせることなく自動制御にて脱臭炉排ガスの保有熱を極力多く回収できる。
【００１４】
また、他の実施形態として、バージンドライヤの排気ダクト下流に回転数調整手段であるインバータを有した排気ファンを備えると共に、静圧センサの検出値が所定値を維持するように前記排気ファンの回転数を調整してバージンドライヤの排ガスを略過不足なしに排気制御する静圧／回転数制御器を備える。更に、脱臭炉下流の分岐ダクトに配設した開閉ダンパの開度を前記排気ファンの回転数信号に基づいて制御するダンパ開度制御器とを備える。
【００１５】
そして、前記と同様に、バージンドライヤでは、静圧／回転数制御器によってバージンドライヤ内の静圧が−３０〜−５０Ｐａ程度となるように排気ファンの回転数をインバータ制御する。次に、リサイクルドライヤを運転し、脱臭炉の高温排ガスを分岐ダクトを経由してバージンドライヤに供給するが、その供給量制御は、排気ファンの回転数信号に基づいて分岐ダクトの開閉ダンパの開度を制御することで行われる。
【００１６】
分岐ダクトの開閉ダンパの開度調整は、前記したように、運転開始から開閉ダンパの開度を３０％（５分）→５０％（５分）→８０％（５分）と順次開いていっても良いが、例えば、最初から８０％と大きく開く。そして、バージンドライヤの排気ファンの回転数を一定のタイミング毎に逐次検出し、排気ファンの回転数が基準回転数の８０％を超えると、バージンドライヤの排ガス処理能力をオーバーすることのないように開閉ダンパを５％閉める。また、排気ファンの回転数が基準回転数の５０％以下になると、バージンドライヤの排ガス処理能力に余裕があるために開閉ダンパを５％開ける。運転中、この制御を繰り返す。
【００１７】
このように、バージンドライヤの排気ファンの回転数、即ちバージンドライヤの排ガス処理量の余裕度合を見ながら適量の脱臭炉排ガスをバージンドライヤに供給すると、バージンドライヤの運転に支障を生じさせることなく自動制御にて脱臭炉排ガスの保有熱を極力多く回収できる。
【実施例１】
【００１８】
以下、本発明の実施例を図面に基づいて説明する。
【００１９】
図１は本発明のアスファルト合材製造設備を示す概略構成図であり、リサイクル材を加熱するリサイクルドライヤ１と、バージン材を加熱するバージンドライヤ２とを備えている。
【００２０】
前記リサイクルドライヤ１はバーナ３を備える一方、その排気ダクト４の下流には集塵機５、排ガスを吸引排気する排気ファン６、熱交換器７、及び排ガス中の臭気成分を８００℃前後にて燃焼して脱臭する脱臭炉８を配設している。また、９は脱臭炉８のバーナ１０の燃焼用空気を昇温させるための熱交換器である。脱臭炉８の下流の排気ダクト４は分岐され、分岐ダクト１１はバージンドライヤ２へと連結されている。分岐ダクト１１には風量調整用の開閉ダンパ１２を配設すると共に、排気ダクト４の分岐部下流には前記開閉ダンパ１２と連動制御される風量調整用の開閉ダンパ１３を配設している。
【００２１】
バージンドライヤ２は加熱バージン材温度に基づいて燃焼量制御されるバーナ１４を備える一方、その排気ダクト１５の下流には集塵機１６、風量調整用のメイン開閉ダンパ１７、及び排気ファン１８を配設している。また、前記バーナ１４側のバージンドライヤ２内の静圧を測定する静圧センサ１９を配設すると共に、該静圧センサ１９の検出信号が設定値を維持するように前記メイン開閉ダンパ１７の開度をコントロールする静圧／ダンパ開度制御器２０を配設している。該静圧／ダンパ開度制御器２０では、バージンドライヤ２内の静圧の設定値を−３０〜−５０Ｐａ程度に設定し、少しエアーを吸い込み気味にしながら風量制御することで、ドライヤの隙間から吹き出しのないようにすると共に、不必要なエアーの吸引を極力少なくしている。
【００２２】
また、前記メイン開閉ダンパ１７の開度に基づいて開閉ダンパ１２、１３を開度調整するダンパ開度制御器２１を配設している。該ダンパ開度制御器２１は、メイン開閉ダンパ１７の開度具合、即ちバージンドライヤ２の排ガス処理量の余裕度合を見ながら開閉ダンパ１２、１３の開閉制御を行うことで、バージンドライヤ２の運転に支障がない適量の脱臭炉排ガスをバージンドライヤ２に供給させるものである。メイン開閉ダンパ１７の開度を、例えば少し余裕を持たせて８０％開近くを維持するように風量調整すると好ましい。また、開閉ダンパ１２、１３は、開閉ダンパ１２が開けば開閉ダンパ１３を閉じ、開閉ダンパ１２が閉じれば開閉ダンパ１３は開くように連動制御してバージンドライヤ２に供給する脱臭炉排ガス量のコントロール性を良くしている。
【００２３】
なお、ダンパ開度制御器２１による開閉ダンパ１２の開度制御方法は種々考えられるが、例えば、運転開始から開閉ダンパ１２の開度を３０％（５分）→５０％（５分）→８０％（５分）と順次開いていく。このとき、バージンドライヤ２のメイン開閉ダンパ１７の開度を一定のタイミング毎に逐次検出し、メイン開閉ダンパ１７の開度が８０％を超えると開閉ダンパ１２を５％閉める。また、メイン開閉ダンパ１７の開度が５０％以下になると開閉ダンパ１２を５％開けるように制御し、バージンドライヤ２に適量の脱臭炉排ガスを供給するようにする。
【００２４】
また、運転開始から開閉ダンパ１２を８０％と大きく開き、以後、前記と同様に、メイン開閉ダンパ１７の開度が８０％を超えると開閉ダンパを５％閉める。またメイン開閉ダンパ１７の開度が５０％以下になると開閉ダンパ１２を５％開けるといった制御方法も考えられる。
【００２５】
次に、上記アスファルト合材製造設備においてリサイクルドライヤ１とバージンドライヤ２とを同時に運転してアスファルト合材を製造する場合について説明する。リサイクルドライヤ１とバージンドライヤ２を同時に運転するときには、バージンドライヤ２に供給するバージン材量は、ほぼリサイクル材量分減少することとなるので、排ガス量も減少して排気ファン１８は能力的に余裕がでてくる。そこで、リサイクルドライヤ１下流の脱臭炉８を通過した高温排ガスを分岐ダクト１１側に分流させてバージンドライヤ２に供給する。
【００２６】
このとき、例えば、前記説明したダンパ開度制御器２１による開閉ダンパ１２の開度制御の一方法を採用し、運転開始から開閉ダンパ１２の開度を３０％（５分）開き、脱臭炉８の高温排ガスを分岐ダクト１１を経由してバージンドライヤ２に供給する。脱臭炉の排ガスはプラス圧にてバージンドライヤ２に供給されるので静圧センサ１９にて測定される検出値は静圧設定値（−３０〜−５０Ｐａ程度）よりプラス圧となるので、静圧／ダンパ開度制御器２０は、メイン開閉ダンパ１７の開度を開いて静圧設定値となるように開度制御を行い、バージンドライヤ２に供給されるガス量を略過不足なく吸引排気し、バージンドライヤ２の隙間から吹き出しのないように最適の運転状態を維持する。
【００２７】
続いて、５分経過すると開閉ダンパ１２の開度を５０％（５分）開く。すると静圧／ダンパ開度制御器２０はメイン開閉ダンパ１７の開度を開いて静圧設定値となるように開度制御を行う。更に、５分経過して開閉ダンパ１２の開度を８０％（５分）開くと、静圧／ダンパ開度制御器２０はメイン開閉ダンパ１７の開度を更に開いて静圧設定値となるように開度制御を行う。なお、これらの開度制御の過程で、メイン開閉ダンパ１７の開度を一定のタイミング毎に逐次検出し、メイン開閉ダンパ１７の開度が８０％を超えると開閉ダンパ１２を５％閉める一方、メイン開閉ダンパ１７の開度が５０％以下になると開閉ダンパ１２を５％開けるなど、バージンドライヤ２に供給する脱臭炉排ガス量を適宜調整し、適量の脱臭炉排ガスを供給していく。
【００２８】
このように、バージンドライヤ２のメイン開閉ダンパ１７の開度具合、即ちバージンドライヤ２の排ガス処理量の余裕度合を見ながら適量の脱臭炉排ガスをバージンドライヤ２に供給するので、バージンドライヤ２の運転に支障を生じさせることなく脱臭炉排ガスの保有熱を極力多く回収できる。
【実施例２】
【００２９】
図２は他の実施例を説明する図である。なお、図２において図１と同一符号は、同一構成要素を示し、その説明は省略する。
【００３０】
２２は、バージンドライヤ２の排気ダクト１５下流に配設した回転数調整手段であるインバータを有した排気ファンであり、静圧センサ１９の検出値が設定値を維持するように排気ファン２２の回転数を調整してバージンドライヤ２の排ガスを略過不足なしに排気制御する静圧／回転数制御器２３を備える。また、脱臭炉８下流の分岐ダクト１１に配設した開閉ダンパ１２の開度を排気ファン２２の回転数信号に基づいて制御するダンパ開度制御器２４を備える。
【００３１】
次に、上記アスファルト合材製造設備においてリサイクルドライヤ１とバージンドライヤ２とを同時に運転する場合について説明する。前記と同様に、バージンドライヤ２では、静圧／回転数制御器２３によってバージンドライヤ２内の静圧が−３０〜−５０Ｐａ程度となるように排気ファン２２の回転数をインバータ制御する。続いて、リサイクルドライヤを運転すると、脱臭炉８の高温排ガスを分岐ダクト１１を経由してバージンドライヤ２に供給するが、その供給量制御は、排気ファン２２の回転数信号に基づいて分岐ダクト１１の開閉ダンパ１２の開度を制御することで行われる。
【００３２】
分岐ダクトの開閉ダンパの開度調整は、前記したように、運転開始から開閉ダンパ１２の開度を３０％（５分）→５０％（５分）→８０％（５分）と順次開いていっても良いが、例えば、最初から８０％と大きく開いても良い。そして、排気ファン２２の回転数を一定のタイミング毎に逐次検出し、基準回転数の８０％を超えると開閉ダンパ１２を５％閉める。また、排気ファン２２の回転数が基準回転数の５０％以下になると開閉ダンパを５％開けるようにしてバージンドライヤ２に供給する排ガス量を適宜調整し、極力多くの高温排ガスをバージンドライヤ２に供給するように制御する。
【００３３】
このように、バージンドライヤ２の排気ファン２２の回転数、即ちバージンドライヤ２の排ガス処理量の余裕度合を見て適量の脱臭炉排ガスをバージンドライヤ２に供給すれば、バージンドライヤ２の運転に支障を来すことなく脱臭炉排ガスの保有熱を極力多く回収できる
【００３４】
なお、上記実施例にて説明したように、ダンパ開度制御器２１、２４による開閉ダンパ１２の開度制御方法は種々考えられるが、要は、バージンドライヤ２の排ガス処理量の余裕度合を見ながら運転に支障を来さない適量の脱臭炉排ガスをバージンドライヤ２に供給することにあり、バージンドライヤのメイン開閉ダンパ１７の開度やインバータ制御の排気ファン２２の回転数を、例えば常に８０％程度を維持するように開閉ダンパ１２を開閉制御するようにしても良いなど、本発明の要旨を逸脱しない範囲内において種々変更を加え得ることは勿論である。
【図面の簡単な説明】
【００３５】
【図１】本発明に係るアスファルト合材製造設備の一実施例を示す概略構成図である。
【図２】本発明に係るアスファルト合材製造設備の他の実施例を示す概略構成図である。
【符号の説明】
【００３６】
１…リサイクルドライヤ                    ２…バージンドライヤ
４…排気ダクト                            ８…脱臭炉
１１…分岐ダクト                          １２、１３…開閉ダンパ
１５…排気ダクト                          １６…集塵機
１７…メイン開閉ダンパ                    １９…静圧センサ
２０…静圧／ダンパ開度制御器              ２１…ダンパ開度制御器
２２…回転数調整手段を有する排気ファン    ２３…静圧／回転数制御器
２４…ダンパ開度制御器
【図１】
0004958652.tif 000002
【図２】
0004958652.tif 000003